【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
３原色用の複数の撮像素子と、
これら複数の撮像素子を用いて動画撮影する場合、前記複数の撮像素子夫々において、行列配置された複数の光電変換素子が受光した光の光強度に応じた信号レベルの光検出信号を生成し、前記光電変換素子を１画素として、行列方向に、それぞれ、ｍ（ｍは３以上の奇数）×ｎ（ｎは３以上の奇数）画素ずつ画素データを画素加算して、前記３原色夫々の加算画素データを生成する加算画素データ生成手段と、
前記複数の撮像素子に入射する入射光の光軸を夫々制御することによって、前記加算画素データ生成手段によって生成された赤色及び青色の加算画素データの重心位置が緑色の加算画素データに重なるように補間する画素データ補間手段と、
この画素データ補間手段によって補間された画素データを動画として記憶する記憶手段と、
を備えたことを特徴とする撮像装置。
【請求項２】
３原色用の複数の撮像素子と、
これら複数の撮像素子を用いて動画撮影する場合、前記複数の撮像素子夫々において、行列配置された複数の光電変換素子が受光した光の光強度に応じた信号レベルの光検出信号を生成し、前記光電変換素子を１画素として、行方向又は列方向にｎ（ｎは３以上の奇数）画素ずつ画素データを画素加算して、前記３原色夫々の加算画素データを生成する第１の加算画素データ生成手段と、
この第１の加算画素データ生成手段によって生成された各加算画素データを、この第１の加算画素データ生成手段が画素加算した方向とは異なる方向に、ｍ（ｍは３以上の奇数）画素ずつ画素データを画素加算して、新たな加算画素データを生成する第２の加算画素生成手段と、
前記複数の撮像素子に入射する入射光の光軸を夫々制御することによって、前記第２の加算画素データ生成手段によって生成された赤色及び青色の加算画素データの重心位置が緑色の加算画素データに重なるように補間する画素データ補間手段と、
この画素データ補間手段によって補間された画素データを動画として記憶する記憶手段と、
を備えたことを特徴とする撮像装置。
【請求項３】
３原色用の複数の撮像素子を備えた撮像装置の画素補間方法であって、
これら複数の撮像素子を用いて動画撮影する場合、前記複数の撮像素子夫々において、行列配置された複数の光電変換素子が受光した光の光強度に応じた信号レベルの光検出信号を生成し、前記光電変換素子を１画素として、行列方向に、それぞれ、ｍ（ｍは３以上の奇数）×ｎ（ｎは３以上の奇数）画素ずつ画素データを画素加算して、前記３原色夫々の加算画素データを生成する加算画素データ生成ステップと、
前記複数の撮像素子に入射する入射光の光軸を夫々制御することによって、前記加算画素データ生成ステップにて生成された赤色及び青色の加算画素データの重心位置が緑色の加算画素データに重なるように補間する画素データ補間ステップと、
この画素データ補間ステップにて補間された画素データを動画として記憶部に記憶させる記憶ステップと、
を含むことを特徴とする画素補間方法。
【請求項４】
３原色用の複数の撮像素子を備えた撮像装置の画素補間方法であって、
これら複数の撮像素子を用いて動画撮影する場合、前記複数の撮像素子夫々において、行列配置された複数の光電変換素子が受光した光の光強度に応じた信号レベルの光検出信号を生成し、前記光電変換素子を１画素として、行方向又は列方向にｎ（ｎは３以上の奇数）画素ずつ画素データを画素加算して、前記３原色夫々の加算画素データを生成する第１の加算画素データ生成ステップと、
この第１の加算画素データステップ手段にて生成された各加算画素データを、この第１の加算画素データ生成ステップにて画素加算した方向とは異なる方向に、ｍ（ｍは３以上の奇数）画素ずつ画素データを画素加算して、新たな加算画素データを生成する第２の加算画素生成ステップと、
前記複数の撮像素子に入射する入射光の光軸を夫々制御することによって、前記第２の加算画素データ生成ステップにて生成された赤色及び青色の加算画素データの重心位置が緑色の加算画素データに重なるように補間する画素データ補間ステップと、
この画素データ補間ステップにて補間された画素データを動画として記憶部に記憶させる記憶ステップと、
を含むことを特徴とする画素補間方法。
【手続補正２】
【補正対象書類名】明細書
【補正対象項目名】０００９
【補正方法】変更
【補正の内容】
【０００９】
この目的を達成するため、本発明は、３原色用の複数の撮像素子と、これら複数の撮像素子を用いて動画撮影する場合、前記複数の撮像素子夫々において、行列配置された複数の光電変換素子が受光した光の光強度に応じた信号レベルの光検出信号を生成し、前記光電変換素子を１画素として、行列方向に、それぞれ、ｍ（ｍは３以上の奇数）×ｎ（ｎは３以上の奇数）画素ずつ画素データを画素加算して、前記３原色夫々の加算画素データを生成する加算画素データ生成手段と、前記複数の撮像素子に入射する入射光の光軸を夫々制御することによって、前記加算画素データ生成手段によって生成された赤色及び青色の加算画素データの重心位置が緑色の加算画素データに重なるように補間する画素データ補間手段と、この画素データ補間手段によって補間された画素データを動画として記憶する記憶手段と、を備えたことを特徴とする。
【手続補正３】
【補正対象書類名】明細書
【補正対象項目名】００１０
【補正方法】変更
【補正の内容】
【００１０】
また、本発明は、３原色用の複数の撮像素子と、これら複数の撮像素子を用いて動画撮影する場合、前記複数の撮像素子夫々において、行列配置された複数の光電変換素子が受光した光の光強度に応じた信号レベルの光検出信号を生成し、前記光電変換素子を１画素として、行方向又は列方向にｎ（ｎは３以上の奇数）画素ずつ画素データを画素加算して、前記３原色夫々の加算画素データを生成する第１の加算画素データ生成手段と、この第１の加算画素データ生成手段によって生成された各加算画素データを、この第１の加算画素データ生成手段が画素加算した方向とは異なる方向に、ｍ（ｍは３以上の奇数）画素ずつ画素データを画素加算して、新たな加算画素データを生成する第２の加算画素生成手段と、前記複数の撮像素子に入射する入射光の光軸を夫々制御することによって、前記第２の加算画素データ生成手段によって生成された赤色及び青色の加算画素データの重心位置が緑色の加算画素データに重なるように補間する画素データ補間手段と、この画素データ補間手段によって補間された画素データを動画として記憶する記憶手段と、を備えたことを特徴とする。
【手続補正４】
【補正対象書類名】明細書
【補正対象項目名】００１１
【補正方法】変更
【補正の内容】
【００１１】
また、本発明は、３原色用の複数の撮像素子を備えた撮像装置の画素補間方法であって、これら複数の撮像素子を用いて動画撮影する場合、前記複数の撮像素子夫々において、行列配置された複数の光電変換素子が受光した光の光強度に応じた信号レベルの光検出信号を生成し、前記光電変換素子を１画素として、行列方向に、それぞれ、ｍ（ｍは３以上の奇数）×ｎ（ｎは３以上の奇数）画素ずつ画素データを画素加算して、前記３原色夫々の加算画素データを生成する加算画素データ生成ステップと、前記複数の撮像素子に入射する入射光の光軸を夫々制御することによって、前記加算画素データ生成ステップにて生成された赤色及び青色の加算画素データの重心位置が緑色の加算画素データに重なるように補間する画素データ補間ステップと、この画素データ補間ステップにて補間された画素データを動画として記憶部に記憶させる記憶ステップと、を含むことを特徴とする。
【手続補正５】
【補正対象書類名】明細書
【補正対象項目名】００１２
【補正方法】変更
【補正の内容】
【００１２】
また、本発明は、３原色用の複数の撮像素子を備えた撮像装置の画素補間方法であって、これら複数の撮像素子を用いて動画撮影する場合、前記複数の撮像素子夫々において、行列配置された複数の光電変換素子が受光した光の光強度に応じた信号レベルの光検出信号を生成し、前記光電変換素子を１画素として、行方向又は列方向にｎ（ｎは３以上の奇数）画素ずつ画素データを画素加算して、前記３原色夫々の加算画素データを生成する第１の加算画素データ生成ステップと、この第１の加算画素データステップ手段にて生成された各加算画素データを、この第１の加算画素データ生成ステップにて画素加算した方向とは異なる方向に、ｍ（ｍは３以上の奇数）画素ずつ画素データを画素加算して、新たな加算画素データを生成する第２の加算画素生成ステップと、前記複数の撮像素子に入射する入射光の光軸を夫々制御することによって、前記第２の加算画素データ生成ステップにて生成された赤色及び青色の加算画素データの重心位置が緑色の加算画素データに重なるように補間する画素データ補間ステップと、この画素データ補間ステップにて補間された画素データを動画として記憶部に記憶させる記憶ステップと、を含むことを特徴とする。